(57)【要約】【課題】内外輪の挟み込みによる保持器の局所変形を抑制できて、径方向の圧縮荷重に対する剛性を大きくできるスラストころ軸受用保持器を提供すること。【解決手段】少なくとも一つのポケットの５５周方向の一方側の柱部５３が、その柱部５３の軸方向の一方側の端面７０が軸方向の他方側に窪むように軸方向の他方側に屈曲する屈曲部６２Ａを有するようにする。また、上記少なくとも一つのポケット５５の周方向の他方側の柱部５３が、その柱部５３の軸方向の他方側の端面８０が軸方向の一方側に窪むように軸方向の一方側に屈曲する屈曲部６２Ｂを有するようにする。【選択図】図４
2014095393.tif 000002
【特許請求の範囲】
【請求項１】
第１環状部と、
上記第１環状部から上記第１環状部の径方向に延在すると共に、上記第１環状部の周方向に互いに間隔をおいて位置する複数の柱部と
を備え、
上記周方向に隣接する上記柱部の間にころが配置されるポケットを有し、
少なくとも一つの上記ポケットの上記周方向の一方側の上記柱部が、その柱部の軸方向の一方側の端面が上記軸方向の他方側に窪むように上記軸方向の他方側に屈曲する屈曲部を有する一方、上記少なくとも一つのポケットの上記周方向の他方側の上記柱部が、その柱部の上記軸方向の他方側の端面が上記軸方向の一方側に窪むように上記軸方向の一方側に屈曲する屈曲部を有することを特徴とするスラストころ軸受用保持器。
【請求項２】
請求項１に記載のスラストころ軸受用保持器において、
上記第１環状部に上記径方向に対向すると共に、上記各柱部によって上記第１環状部に連結される第２環状部を有し、
上記第１環状部および上記第２環状部の夫々は、上記周方向に隣接する上記柱部の間に位置する柱部間部分の少なくとも一つにおいて、上記周方向の一方側に行くにしたがって上記軸方向の一方側に傾斜する軸方向一方側傾斜部を有する一方、その少なくとも一つの柱部間部分に周方向の一方側に隣接する上記柱部間部分において、上記周方向の一方側に行くにしたがって上記軸方向の他方側に傾斜する軸方向他方側傾斜部を有することを特徴とするスラストころ軸受用保持器。
【発明の詳細な説明】
【技術分野】
【０００１】
本発明は、スラストころ軸受用保持器に関する。
【背景技術】
【０００２】
従来、スラストころ軸受用保持器（以下、単に、スラスト保持器という）としては、特開２００８−２０２７９７号公報（特許文献１）に記載されているものがある。このスラスト保持器は、大径環状部と、小径環状部と、複数の柱部とを備え、大径環状部と、小径環状部とは、同心かつ略同一平面上に位置している。また、上記各柱部は、大径環状部と、小径環状部とを連結している。上記複数の柱部は、小径環状部の周方向に互いに間隔をおいて位置している。
【０００３】
また、上記各柱部は、径方向の断面において、軸方向に略コ字状に屈曲している。また、上記全ての柱部は、小径環状部の軸方向の同じ方向に屈曲している。上記従来のスラスト保持器は、各柱部をコ字状に屈曲させることにより、ころの保持性を向上している。
【先行技術文献】
【特許文献】
【０００４】
【特許文献１】特開２００８−２０２７９７号公報（第２図）
【発明の概要】
【発明が解決しようとする課題】
【０００５】
しかしながら、上記スラスト保持器は、各柱部が軸方向にコ字状に屈曲しているから、柱部が屈曲していないスラスト保持器と比較して径方向の耐荷重性が小さくなる。したがって、内外輪の挟み込みによる保持器の局所変形を更に抑制して、径方向の圧縮荷重に対する剛性を大きくしたいという要請がある。
【０００６】
そこで、本発明の課題は、ころの保持性を良好に保ちながら、さらに、内外輪の挟み込みによる保持器の局所変形を抑制できて、径方向の圧縮荷重に対する剛性を大きくできるスラストころ軸受用保持器を提供することにある。
【課題を解決するための手段】
【０００７】
上記課題を解決するため、この発明のスラストころ軸受用保持器は、
第１環状部と、
上記第１環状部から上記第１環状部の径方向に延在すると共に、上記第１環状部の周方向に互いに間隔をおいて位置する複数の柱部と
を備え、
上記周方向に隣接する上記柱部の間にころが配置されるポケットを有し、
少なくとも一つの上記ポケットの上記周方向の一方側の上記柱部が、その柱部の軸方向の一方側の端面が上記軸方向の他方側に窪むように上記軸方向の他方側に屈曲する屈曲部を有する一方、上記少なくとも一つのポケットの上記周方向の他方側の上記柱部が、その柱部の上記軸方向の他方側の端面が上記軸方向の一方側に窪むように上記軸方向の一方側に屈曲する屈曲部を有することを特徴としている。
【０００８】
本発明によれば、少なくとも一つのポケットにおいて、そのポケットの周方向の一方側および他方側の柱部が軸方向に屈曲しているから、ポケットにおけるころの保持性を向上することができる。
【０００９】
また、本発明によれば、スラストころ軸受用保持器（以下、単位、スラスト保持器という）が、互い違いに軸方向の逆側に屈曲すると共に周方向に隣接する二以上の柱部を有するから、柱部の軸方向の屈曲方向が一致している従来のスラスト保持器と比較してスラスト保持器の軸方向の質量バランスが良くなる。したがって、従来のスラスト保持器と比較して、スラスト保持器の軸方向および径方向の剛性を大きくできて、径方向の圧縮荷重に対する剛性を大きくできて、内外輪の挟み込みによるスラスト保持器の局所変形を抑制できる。また、スラスト保持器の軸方向の質量バランスが良くなるから、スラスト保持器の挙動も安定させることができる。
【００１０】
また、一実施形態では、
上記第１環状部に上記径方向に対向すると共に、上記各柱部によって上記第１環状部に連結される第２環状部を有し、
上記第１環状部および上記第２環状部の夫々は、上記周方向に隣接する上記柱部の間に位置する柱部間部分の少なくとも一つにおいて、上記周方向の一方側に行くにしたがって上記軸方向の一方側に傾斜する軸方向一方側傾斜部を有する一方、その少なくとも一つの柱部間部分に周方向の一方側に隣接する上記柱部間部分において、上記周方向の一方側に行くにしたがって上記軸方向の他方側に傾斜する軸方向他方側傾斜部を有する。
【００１１】
上記実施形態によれば、上記第１環状部および第２環状部の夫々の柱部間部分が、周方向に互い違いに軸方向の逆側に傾斜する軸方向傾斜部を有するから、スラスト保持器の軸方向および径方向の剛性を更に大きくできて、内外輪の挟み込みによるスラスト保持器の局所変形を更に抑制できる。
【発明の効果】
【００１２】
本発明によれば、ころの保持性を良好に保ちながら、さらに、内外輪の挟み込みによる保持器の局所変形を抑制できて、径方向の圧縮荷重に対する剛性を大きくできるスラストころ軸受用保持器を実現できる。
【図面の簡単な説明】
【００１３】
【図１】本発明の第１実施形態のスラスト円筒ころ軸受の径方向の模式断面図である。
【図２】上記スラスト保持器の一部を、軸方向の一方側から見たときの斜視図である。
【図３】図２にＢで示す径方向の切断部の近傍を周方向の外側から見たときの斜視図である。
【図４】上記スラスト保持器の一つのポケットの周辺部の斜視図である。
【図５】第２実施形態のスラスト保持器における図２に対応する図である。
【図６】図５にＣで示す径方向の切断部の近傍を周方向の外側から見たときの斜視図である。
【発明を実施するための形態】
【００１４】
以下、本発明を図示の形態により詳細に説明する。
【００１５】
図１は、本発明の第１実施形態のスラスト円筒ころ軸受の径方向の模式断面図である。
【００１６】
このスラスト円筒ころ軸受は、外輪１と、内輪２と、複数の円筒ころ３と、スラスト円筒ころ軸受用保持器（以下、単に、スラスト保持器という）５とを備える。上記外輪１は、円板状の形状を有し、平面状の軌道面１１を有する。また、上記外輪１は、屈曲延在部１２を有し、その屈曲延在部１２は、外輪１の径方向の外方側の端部に位置している。上記屈曲延在部１２は、軸方向の一方側に屈曲した後、軸方向の一方側に軸方向に延在している。
【００１７】
上記内輪２は、円板状の形状を有し、平面状の軌道面２１を有する。上記内輪２の軌道面２１は、外輪１の軌道面１１に軸方向に対向している。上記内輪２は、屈曲延在部２２を有し、その屈曲延在部２２は、内輪２の径方向の内方側の端部に位置している。上記屈曲延在部２２は、軸方向の他方側に屈曲した後、軸方向の他方側に軸方向に延在している。
【００１８】
上記複数の円筒ころ３は、外輪１の軌道面１１と、内輪２の軌道面２１との間に、スラスト保持器５によって保持された状態で、周方向に互いに間隔をおいて配置されている。上記スラスト保持器５は、例えば、ＳＰＣＣ（冷間圧延鋼）、Ｓ４５Ｃ（機械構造用炭素鋼）、汎用ステンレス鋼等の、プレス成形可能な鋼材からなり、プレス成形によって形成されている。上記スラスト保持器５は、外輪１の屈曲延在部１２と、内輪２の屈曲延在部２２との両方に径方向に重なっており、外輪１および内輪２から径方向に離脱しないようになっている。
【００１９】
図２は、上記スラスト保持器５の一部を、軸方向の一方側から見たときの斜視図である。
【００２０】
図２に示すように、上記スラスト保持器５は、第１環状部としての大径環状部５１と、第２環状部としての小径環状部５２と、複数の柱部５３とを有する。上記大径環状部５１および小径環状部５２の夫々は、平坦な形状を有し、略同一平面上に位置している。上記大径環状部５１と、小径環状部５２とは、同心かつ略同一平面上に存在している。上記大径環状部５１は、小径環状部５２の径方向の外方側に位置している。また、上記各柱部５３は、大径環状部５１と、小径環状部５２とを連結している。上記複数の柱部５３は、小径環状部５２の周方向に互いに間隔をおいて位置している。
【００２１】
上記スラスト保持器５は、２Ｎ（Ｎは自然数）個のポケット５５を有し、各ポケット５５は、周方向に隣接する柱部５３の間に位置している。上記各ポケット５５には、円筒ころ３が配置されるようになっている。図２に示すように、各柱部５３は、いずれの径方向の位置でも略同じ厚さを有している。上記各柱部５３は、その各柱部５３の軸方向の片側の端面が径方向の断面において略等脚台形状の凹部を有するように軸方向に屈曲している。また、図２に示すように、互いに周方向に隣接するいずれの二つの柱部５３も、軸方向に互いに異なる方向に屈曲し、軸方向の一方側に屈曲している柱部５３と、軸方向の他方側に屈曲している柱部５３とが、周方向に交互に配置されている。
【００２２】
図３は、図２にＢで示す径方向の切断部の近傍を周方向の外側から見たときの斜視図である。
【００２３】
図３に示すように、各柱部５３は、屈曲部６２の他に、大径側接続部６０と、小径側接続部６１とを有する。上記大径側接続部６０は、大径環状部５１につながっており、大径環状部５１の径方向の内方側の端面から径方向の内側に延在している。一方、上記小径側接続部６１は、小径環状部５２につながっており、小径環状部５２の径方向の外方側の端面から径方向の外側に延在している。上記大径側接続部６０および小径側接続部６１の夫々は、平坦な形状を有している。上記屈曲部６２は、柱部５３の径方向の中央に位置している。上記屈曲部６２の径方向の外方側の端部は、大径側接続部６０の径方向の内方側の端部に接続する一方、屈曲部６２の径方向の内方側の端部は、小径側接続部６１の径方向の外方側の端部に接続している。
【００２４】
図３に示すように、複数の柱部５３が有する全ての大径側接続部６０は、周方向に重なっており、複数の柱部５３が有する全ての小径側接続部６１も、周方向に重なっている。また、軸方向の一方側に屈曲している一つおきのＮ（Ｎは自然数）個の柱部５３は、周方向に重なっており、軸方向の他方側に屈曲している一つおきのＮ（Ｎは自然数）個の柱部５３も、周方向に重なっている。
【００２５】
図４は、上記スラスト保持器５の一つのポケット５５の周辺部の斜視図である。
【００２６】
図４に示すように、上記ポケット５５の周方向の一方側の柱部５３は、その柱部５３の軸方向の一方側の端面７０が軸方向の他方側に窪むように軸方向の他方側に屈曲する屈曲部６２Ａを有している。また、上記ポケット５５の周方向の他方側の柱部５３は、その柱部５３の軸方向の他方側の端面８０が軸方向の一方側に窪むように軸方向の一方側に屈曲する屈曲部６２Ｂを有している。尚、上記スラスト保持器５が有する２N個の屈曲部６２に、Ｎ個の屈曲部６２Ａが含まれると共に、Ｎ個の屈曲部６２Ｂが含まれることは言うまでもない。
【００２７】
上記第１実施形態によれば、各ポケット５５において、ポケット５５の周方向の一方側および他方側の柱部５３が軸方向に屈曲しているから、ポケット５５における円筒ころ３の保持性を向上することができる。
【００２８】
上記第１実施形態によれば、スラスト保持器５が、互い違いに軸方向の逆側に屈曲する周方向に隣接する二以上の柱部５３を有するから、柱部の軸方向の屈曲方向が全て一致している従来のスラスト保持器と比較して、スラスト保持器５の軸方向の質量バランスが良くなる。したがって、従来のスラスト保持器と比較して、スラスト保持器５の軸方向および径方向の剛性を大きくできて、図１に矢印ＡＡ’で示す径方向の圧縮荷重に対する剛性を大きくできて、内外輪１,２の挟み込みによるスラスト保持器５の局所変形を抑制できる。
【００２９】
また、上記第１実施形態によれば、スラスト保持器５の軸方向の質量バランスが良くなるから、スラスト保持器５の挙動も安定させることができる。
【００３０】
尚、上記第１実施形態では、各柱部５３が、軸方向に屈曲する屈曲部６２を有するから、屈曲部６２に周方向に突出する円筒ころ３脱落防止用の爪を形成することもできる。そして、屈曲部６２に円筒ころ３脱落防止用の爪を形成した場合には、スラスト保持器５と複数の円筒ころ３とからなるアッセンブリを形成できて、運搬等が容易になると共に、スラスト保持器５で円筒ころ３を確実に保持できる。
【００３１】
また、上記第１実施形態では、全てのポケット５５において、ポケット５５の周方向の一方側の柱部５３が、その柱部５３の軸方向の一方側の端面７０が軸方向の他方側に窪むように軸方向の他方側に屈曲する屈曲部６２Ａを有する一方、ポケット５５の周方向の他方側の柱部５３が、その柱部５３の軸方向の他方側の端面８０が軸方向の一方側に窪むように軸方向の一方側に屈曲する屈曲部６２Ｂを有していた。しかしながら、この発明では、少なくとも一つのポケットにおいて、ポケットの周方向の一方側の柱部が、その柱部の軸方向の一方側の端面が軸方向の他方側に窪むように軸方向の他方側に屈曲する屈曲部を有していれば良く、また、ポケットの周方向の他方側の柱部が、その柱部の軸方向の他方側の端面が軸方向の一方側に窪むように軸方向の一方側に屈曲する屈曲部を有していれば良い。
【００３２】
また、上記第１実施形態では、スラスト保持器５が、偶数個のポケット５５を有していたが、スラスト保持器は、奇数個のポケットを有していても良い。尚、奇数のポケットを有する場合において、全ての柱部が屈曲部を有する場合には、少なくとも一つのポケットは、そのポケットを画定する二つの柱部の屈曲方向が、軸方向の同一方向になることは言うまでもない。
【００３３】
また、上記第１実施形態では、各柱部５３に形成される凹部が、略等脚台形状の凹部であったが、柱部に形成される凹部は、略矩形の凹部や、略半円形状の凹部等、略等脚台形状の凹部以外の凹部であっても良い。
【００３４】
また、上記第１実施形態では、スラスト保持器５が、鋼材からなっていたが、スラスト保持器は、樹脂からなっていても良く、例えば、射出成形によって形成されていても良い。
【００３５】
また、上記第１実施形態では、ころが、円筒ころ（ニードルころでも、そうでなくてもどちらでも良い）３であったが、ころは、円錐ころや、凸面ころ（球面ころ）であっても良い。
【００３６】
図５は、第２実施形態のスラスト保持器１０５における図２に対応する図である。
【００３７】
第２実施形態のスラスト保持器１０５も、第１実施形態のスラスト保持器５と同様に偶数個のポケット１５５を有する。第２実施形態のスラスト保持器１０５では、大径環状部１５１と、小径環状部１５２とが、同じ位相角の周期を有した状態で波打っている点が、第１実施形態のスラスト保持器５と異なる。尚、第２実施形態では、各柱部１５３が凹部を有している点等の第１実施形態と同じ構成については、説明を省略し、また、第１実施形態と同じ作用効果についても、説明を省略する。また、第２実施形態では、第１実施形態と同じ変形例についても、説明を省略する。
【００３８】
第２実施形態のスラスト保持器１０５は、プレス成形可能な鋼材からなり、プレス成形により形成されている。図５に示すように、上記大径環状部１５１は、軸方向の第１位置と、軸方向の第２位置との間を略折れ線状にジグザグに往復してなる形状をしている。上記大径環状部１５１は、周方向に隣接する柱部１５３の間に位置する柱部間部分１８０を、２Ｍ（Ｍは、自然数）個有している。また、それら２Ｍ個の柱部間部分１８０のうちで一つ置きに存在する上記Ｍ個の柱部間部分１８０の夫々が、周方向に行くにしたがって軸方向の一方側に傾斜する軸方向一方側傾斜部１８１を有する一方、そのＭ個の柱部間部分１８０の夫々に周方向の一方側に隣接する柱部間部分１８０が、周方向の一方側に行くにしたがって軸方向の他方側に傾斜する軸方向他方側傾斜部１８２を有している。
【００３９】
また、同様に、上記小径環状部１５２は、軸方向の第１位置と、軸方向の第２位置との間を略折れ線状にジグザグに往復してなる形状をしている。上記小径環状部１５２は、周方向に隣接する柱部１５３の間に位置する柱部間部分１９０を、２Ｍ（Ｍは、自然数）個有している。また、それら２Ｍ個の柱部間部分１９０のうちで一つ置きに存在する上記Ｍ個の柱部間部分１９０の夫々が、周方向に行くにしたがって軸方向の一方側に傾斜する軸方向一方側傾斜部１９１を有する一方、そのＭ個の柱部間部分１９０の夫々に周方向の一方側に隣接する柱部間部分１９０が、周方向の一方側に行くにしたがって軸方向の他方側に傾斜する軸方向他方側傾斜部１９２を有している。
【００４０】
図６は、図５にＣで示す径方向の切断部の近傍を周方向の外側から見たときの斜視図である。
【００４１】
図６に示すように、大径環状部１５１および小径環状部１５２の夫々の最も軸方向の一方側に位置する部分１３０,１３１の軸方向の位置は、大径環状部１５１および小径環状部１５２の夫々の最も軸方向の他方側に位置する部分１４０,１４１から延在する柱部１５３の屈曲部１６２Ｂの最も軸方向の一方側に位置する部分１７０の軸方向の位置と略一致している。
【００４２】
また、逆に、大径環状部１５１および小径環状部１５２の夫々の最も軸方向の他方側に位置する部分１４０,１４１の軸方向の位置は、大径環状部１５１および小径環状部１５２の夫々の最も軸方向の一方側に位置する部分１３０,１３１から延在する柱部１５３の屈曲部１６２Ａの最も軸方向の他方側に位置する部分１７５の軸方向の位置と略一致している。
【００４３】
また、図６に示すように、大径環状部１５１および小径環状部１５２の夫々の最も軸方向の一方側の位置から軸方向の他方側に屈曲している屈曲部１６２Ａの最も軸方向の他方側の位置は、大径環状部１５１および小径環状部１５２の夫々の最も軸方向の他方側の位置から軸方向の一方側に屈曲している屈曲部１６２Ｂの最も軸方向の一方側の位置よりも軸方向の他方側に位置している。
【００４４】
上記第２実施形態によれば、大径環状部１５１および小径環状部１５２の夫々が、互い違いに軸方向の逆側に傾斜する軸方向傾斜部１８１,１８２,１９１,１９２を有するから、スラスト保持器１０５の軸方向および径方向の剛性を更に大きくできて、内外輪の挟み込みによるスラスト保持器１０５の局所変形を更に抑制できる。
【００４５】
また、上記第２実施形態によれば、大径環状部１５１および小径環状部１５２の夫々が、軸方向に波打っているから、柱部１５３に周方向に突出するころを係止する爪を形成する場合に、より多くの爪を軸方向の異なる位置に配置できる。したがって、スラスト保持器１０５にころ脱落用の爪を形成した場合、より安定にころを保持することができる。
【００４６】
尚、上記第２実施形態では、各環状部１５１,１５２の夫々の柱部間部分１８０,１９０は、柱部間部分１８０,１９０の周方向の全体に亘って周方向に行くにしたがって傾斜していたが、少なくとも一つの環状部の柱部間部分は、柱部間部分の周方向の一部のみが周方向に行くにしたがって傾斜するようであっても良い。
【００４７】
また、上記第２実施形態では、大径環状部および小径環状部１５１,１５２の夫々で、柱部間部分１８０,１９０が、偶数個存在して、全ての柱部間部分１８０,１９０が、傾斜部１８１,１８２,１９１,１９２を有し、大径環状部および小径環状部１５１,１５２の夫々が、波打つような形状をしていた。しかしながら、大径環状部および小径環状部の夫々で、柱部間部分は、奇数個存在しても良く、この場合に、軸方向に傾斜していない柱部間部分が一以上存在しても良い。また、大径環状部および小径環状部の夫々で、柱部間部分は、偶数個存在していて、軸方向に傾斜していない柱部間部分が一以上存在しても良い。
【００４８】
また、上記第２実施形態では、小径環状部および大径環状部１５１,１５２の夫々が、折れ線上に波打っていたが、小径環状部および大径環状部の夫々が、湾曲した状態で波打っていても良い。
【符号の説明】
【００４９】
１  外輪
２  内輪
３  円筒ころ
５,１０５  スラスト保持器
５１,１５１  大径環状部
５２,１５２  小径環状部
５３,１５３  柱部
５５,１５５  ポケット
６２,６２Ａ,６２Ｂ,１６２Ａ,１６２Ｂ  屈曲部
１８０  大径環状部の柱部間部分
１８１  大径環状部の軸方向一方側傾斜部
１８２  大径環状部の軸方向他方側傾斜部
１９０  小径環状部の柱部間部分
１９１  小径環状部の軸方向一方側傾斜部
１９２  小径環状部の軸方向他方側傾斜部
【図１】
2014095393.tif 000003
【図２】
2014095393.tif 000004
【図３】
2014095393.tif 000005
【図４】
2014095393.tif 000006
【図５】
2014095393.tif 000007
【図６】
2014095393.tif 000008